(57)【要約】【課題】調理セットを収納して非常時に調理を行えるように構成できる災害用収納庫を提供すること。【解決手段】災害用収納庫１は、少なくとも調理セットを収納するキャビネット１１とキャビネット１１の上部に配置する天井板１２とを備えた収納テーブル１０と、天井板１２を被包するシートカバー５と、収納テーブル１０を間にして一対配置するベンチ３、３とを備えている。天井板１２は、上面で調理可能な調理台１２１と、隙間を間にして調理台１２１の下面に装着する複数の断熱部形成板１２２とを備えている。隣接する断熱部形成板１２２、１２２間の間の隙間を外部からキャビネット１１内に通気する通気路１２３として形成する。シートカバー５は周縁部５２を折曲して天井板１２の上面と側面を覆うように形成する。【選択図】図１
0003132624.tif 000002
【実用新案登録請求の範囲】
【請求項１】
少なくとも調理セットが収納される災害用収納庫であって、
上方が開放された筐体状に形成されるキャビネットと、前記キャビネットの上部を覆う天井板と、前記天井板を被包するシートカバーとを備え、
前記天井板は、上面に調理可能な平面を有する調理台と、前記調理台の下面側に、間に通気路を有して断続的に複数並設する断熱部形成板と、を有し、
前記シートカバーは、可撓性シート部材で形成されるとともに四辺を屈折する周縁部を有して形成されていることを特徴とする災害用収納庫。
【請求項２】
前記キャビネットには、４隅下部に脚部が形成され、前記キャビネットの長手方向における両端で一対の脚部を連結する連結板が配設され、前記連結板の延長線上には、前記キャビネットを間にして対向する一対のベンチの脚部が装着されていることを特徴とする請求項１記載の災害用収納庫。
【請求項３】
前記シートカバーは、前記周縁部にロープが全周にわたって装着され、前記シートカバーが前記天井板を被包した後に、前記ロープの一端を牽引することによって前記シートカバーが緊締されることを特徴とする請求項１又は２記載の災害用収納庫。
【考案の詳細な説明】
【技術分野】
【０００１】
本考案は、災害用収納庫に関し、さらには調理セットを収納して、非常時に調理可能とする災害用収納庫に関する。
【背景技術】
【０００２】
一般に、火事や地震等の異常事態が発生した場合、学校や公園を避難場所として設定されていることが多い。この場合、避難してきた人たちは緊急であることから、充分な食料や飲み物を持参しているわけではない。そのため、避難場所においては、まず食べ物や飲み物が要求されることとなる。一方、学校においては緊急時のため、学校内に入室するには鍵が必要となるものの一般の人は鍵を管理していないことから、ひとまず運動場内に集合することとなっていた。また、公園では、場所は確保できても食料や飲み物を調理することができなかった。
【０００３】
従来においては、緊急時に使用するための食材等の防災物資を収納する防災備蓄倉庫が提案されていた（特許文献１）。この防災備蓄倉庫には、ガスボンベや炊飯かまど又は釜あるいは食材等が保管できるようになっており、市販の物置を改造することができて容易に製造することができるようになっていた。
【特許文献１】実用新案登録第３１２１５４０号公報
【考案の開示】
【考案が解決しようとする課題】
【０００４】
しかし、従来の防災備蓄倉庫は、防災物資を収納することはできても、屋外で調理するための設備が用意されているものではなかったことから、調理すること自体ができなかった。
【課題を解決するための手段】
【０００５】
本考案は、上述の課題を解決するものであり、食材や調理セット等を収納するとともに屋外で調理できる設備を常備施設として設置できるように構成できる災害用収納庫を提供することを目的とするものである。そのために以下のように構成するものである。すなわち、
請求項１記載の考案では、少なくとも調理セットが収納される災害用収納庫であって、上方が開放された筐体状に形成されるキャビネットと、前記キャビネットの上部を覆う天井板と、前記天井板を被包するシートカバーとを備え、前記天井板は、上面に調理可能な平面を有する調理台と、前記調理台の下面側に、間に通気路を有して断続的に複数並設する断熱部形成板と、を有し、前記シートカバーは、可撓性シート部材で形成されるとともに四辺を屈折する周縁部を有して形成されていることを特徴とするものである。
【０００６】
請求項２記載の考案では、前記キャビネットには、４隅下部に脚部が形成され、前記キャビネットの長手方向における両端で一対の脚部を連結する連結板が配設され、前記連結板の延長線上には、前記キャビネットを間にして対向する一対のベンチの脚部が装着されていることを特徴としている。
【０００７】
請求項３記載の考案では、前記シートカバーは、前記周縁部にロープが全周にわたって装着され、前記シートカバーが前記天井板を被包した後に、前記ロープの一端を牽引することによって前記シートカバーが緊締されることを特徴としている。
【考案の効果】
【０００８】
本考案に係る災害用収納庫では、キャビネットには少なくとも調理用セットが収納されている。キャビネットの上面には通気性を考慮した天井板が装着されているから、キャビネット内の温度上昇を防止することができる。つまり天井板には、断熱部形成板が断続的に複数並設しており、各断熱部形成板との間に隙間を形成して通気路を形成している。天井板をキャビネットの上面に配置することにより、キャビネットと天井板との間には、通気路が形成されることになるから、キャビネットには、常時、外気が通気路から入り込むようになっている。
【０００９】
また、天井板をシートカバーで覆うことによって天井板の上面を保護しているから、緊急時にはシートカバーを取り外すことによって天井板の上面を調理台として使用することができる。このシートカバーは、通常時にはロープで牽引して緊締状態にあるから、風の強い日であってもシートカバーが外れることはなく天井板を保護することができる。しかも、シートカバーを被せた状態においても、シートカバーによって隣接する断熱部形成板間の通気路を塞ぐものではないから、キャビネットの通気性を損なうものではない。従って、緊急時の場合は、キャビネット内の調理セットを取り出して、天井板上で調理をすることが可能となる。
【００１０】
また、この収納庫をテーブルとして使用しテーブルを挟んでベンチを設置する。そして、ベンチをキャビネットと連結板で一体的に構成することによって、例えば、学校の運動場や、公園に常備施設として通常時に利用することができる。
【考案を実施するための最良の形態】
【００１１】
次に、本考案の災害用収納庫の一形態を図面に基づいて説明する。
【００１２】
実施形態の災害用収納庫１は、屋外で使用することに好適であり、図１に示すように、少なくとも調理セットを収納する収納テーブル１０と、収納テーブル１０に対向して設置される一対のベンチ３、３と収納テーブル１０を覆うシートカバー５と、を備えている。
【００１３】
収納テーブル１０は、上部を開口した筐体状のキャビネット１１とキャビネット１１の上部を覆う天井板１２とを有している。キャビネット１１は横方向（ベンチ３の長手方向）に対して長く、幅方向（ベンチ３が向かい合う方向）に対して短く形成されている。キャビネット１１の横方向の一端側には扉１１１が開閉可能に配置されている。キャビネット１１内に収納される調理セットとしては、ガスボンベや釜、鍋類、ボールやざる等、又はやかんやバケツ類、まな板、包丁、箸、スプーン類、あるいは食器等他調理に必要なものである。キャビネット１１は、屋外で好適に使用できるために、例えば、ステンレスで形成されることが望ましい。
【００１４】
天井板１２は、キャビネット１１の幅方向において、その端部がキャビネット１１の端部より突出して形成され、図３に示すように、キャビネット１１の上部を覆うように矩形状に形成された調理台１２１と、調理台１２１の下面に配置する断熱部形成板１２２とから構成されている。調理台１２１は、木製で形成されることが望ましく、上面は平面状に形成されている。
【００１５】
断熱部形成板１２２は、調理台１２１の幅方向に長尺に形成され、調理台１２１の長手方向に対しては短尺に形成されている。そして、複数の断熱部形成板１２２が、隣接する断熱部形成板１２２との間に隙間を有して調理台１２１の長手方向に沿って調理台１２１に固着されている。この隙間が通気路１２３として形成されることとなる。なお、実施形態における天井板１２は、キャビネット１１の長手方向に対して、キャビネット１１と略同一長さに形成されているが、長手方向の端部をキャビネット１１の長手方向の端部より外方に突出して形成してもよい。
【００１６】
シートカバー５は、図１及び図４に示すように、可撓性を有するビニールで形成され、自然状態において天井板１２の上面を覆う平面部５１の四辺の周縁部５２を折曲して形成されている。平面部５１の大きさは、天井板１２の調理台１２１の大きさに合わせて形成され、周縁部５２は調理台１２１の側面全周にわたって覆うように形成されている。そのため、シートカバー５の天井板１２からの着脱はシートカバー５の上下方向の出入によって行うことができる。
【００１７】
折曲された周縁部５２の先端はロープ６（又は紐）を全周にわたって巻装している。ロープ６は一端を周縁部５２の一箇所で突出させ、他端を周縁部５２の別の箇所で固着している。そのため、天井板１２を覆った後、ロープ６の一端を牽引することによって、天井板１２に被せた状態でシートカバー５を緊締することができる。
【００１８】
一方、キャビネット１１の４隅角には脚部１１２が配置されている。脚部１１２には、キャビネット１１の長手方向においてキャビネット１１の両端、前後方向に向かって、連結板７が固着されている。連結板７はキャビネット１１の前後方向に延設され、その延長線上には、ベンチ３、３の脚部が固着され、ベンチ３、３がキャビネット１１を間にして一対装着されている。ベンチ３の長さは、キャビネット１１の長さと略同一長さに形成されている。
【００１９】
次に上記のように構成された災害用収納庫１の使用方法について説明する。
【００２０】
通常時においては、災害用収納庫１は、収納テーブル１０とベンチ３とが一体となって、学校の運動場や公園等の屋外に常備施設として設置する。そのため、通常時には休憩場所として利用する。
【００２１】
また、収納テーブル１０には、シートカバー５が天井板１２を被包していて調理台１２１を保護している。そのため、風雨が激しいときに、調理台１２１はシートカバー５で保護されるとともに、キャビネット１１の幅方向に対して突出ている天井板１２で塞がれて、キャビネット１１内には通気路１２３から雨が入り込まない。また夏の暑い日には、キャビネット１１内には、外気が通気路１２３から入り込み、キャビネット１１内の温度上昇を防止している。
【００２２】
異常事態が発生して、住民が学校や公園に避難してくると、災害用収納庫１を利用して調理する。まず、収納テーブル１０の扉１１１を開き、内部からガスボンベを取り出す。ガスボンベから供給するガスを利用し、やかんに水を汲んで沸騰させる。
【００２３】
天井板１２にはシートカバー５が被せてあるから、ロープ６を緩めて天井板１２からシートカバー５を取外す。シートカバー５は天井板１２の調理台１２１に合わせて形成されており、しかも周縁部５２がテーブル部１２の周りを覆うように折曲されているから、そのまま上方に向かって取外す。キャビネット１１内に収納してある調理セットやバケツ等を取り出す。バケツに水を汲んで調理台１２１の上面を雑巾等で拭いた後、調理を行う。使用後は、シートカバー５を天井板１２に被せて、再び、調理セット等の用具をキャビネット１１内に収納する。
【００２４】
上述のように、実施形態の災害用収納庫１は、通常時にはベンチ３に腰を降ろして休憩場所として利用することができ、避難時には調理台として利用することができる。この災害用収納庫１を学校の運動場や公園に常備施設として設置すれば、住民にとって利便性を有するものとして大いに活用することができる。
【００２５】
しかも、収納テーブル１０が通気性を備えていることから、夏の日差しが強くてもキャビネット内１１の温度上昇を防止することができる。
【００２６】
また、シートカバー５の着脱は、シートカバー５が天井板１２の形状に合わせて形成されていることから、シートカバー５の周縁部５２を天井板１２（調理台１２１）の側面に沿って出入させるだけで容易に行うことができる。
【００２７】
また、シートカバー５を天井板１２に被包させた後は、ロープ６を絞り込むことによって、天井板１２を緊締できるから、通常時に、風雨の激しいときでも外れることはなく天井板１２を保護することができる。
【００２８】
なお、本考案の災害用収納庫は、上述の形態に限定するものではない。例えば、キャビネットあるいは連結板からテント用の支持棒を立設するか、フック等を設けることによって、テントを装着することができ、日差しの強い日や雨や雪の日でも、好適に使用することができる。
【００２９】
また、キャビネット上に配置する天井板をキャビネットから着脱可能に構成してもよい。さらにベンチを連結板に対して着脱可能に構成すれば、持ち運びに利便に使用できる。
【図面の簡単な説明】
【００３０】
【図１】本考案の災害用収納庫の一形態を示す全体斜視図である。
【図２】同側面断面図である。
【図３】図１における災害用収納庫の収納テーブルを示す図である。
【図４】図１における災害用収納庫のシートカバーを示す断面図である。
【符号の説明】
【００３１】
１、災害用収納庫
３、ベンチ
５、シートカバー
６、ロープ
１０、収納テーブル
１１、キャビネット
１２、天井板
１２１、調理台
１２２、断熱部形成板
１２３、通気路
【図１】
0003132624.tif 000003
【図２】
0003132624.tif 000004
【図３】
0003132624.tif 000005
【図４】
0003132624.tif 000006